(57)【要約】【課題】超伝導ケーブルの製造方法を目的とする。【解決手段】長手方向に伸びた超伝導素材を含む少なくとも１本のケーブル芯材と前記芯材を周包する曲げ可能な管体とから構成される超伝導ケーブルの製造方法であって、（a）在庫からケーブル芯材を連続的に引き出し、（ｂ）板材在庫から金属板を連続的に引き出し、（ｃ）前記金属板を前記芯材の周囲に連続的に成形し、継ぎ目がある管体とし、長手方向の継ぎ目を溶接し、更に、ケーブル芯材の外径よりも大きな内径を有する波型管体を成形し、（ｄ）ケーブル芯材と波型管体とからなる超伝導ケーブルをケーブルドラムに巻き取るか、又は少なくともコイル状態の超伝導ケーブルとし、（e）ケーブルドラム上にあるケーブル又は少なくとも１巻きのコイル状態にあるケーブルの芯材の端部を波型管体の端部と機械的に連結する、ことを特徴とする製造方法である。【選択図】  図２
2004349250.tif 000002
【特許請求の範囲】
【請求項１】
長手方向伸びた超伝導素材を含む少なくとも１本のケーブル芯材と前記芯材を周包する曲げ可能な管体とから構成される超伝導ケーブルの製造方法であって、
（a）在庫からケーブル芯材を連続的に引き出し、
（ｂ）板材在庫から金属板を連続的に引き出し、
（ｃ）前記金属板を前記芯材の周囲に連続的に成形し、継ぎ目がある管体とし、長手方向の継ぎ目を溶接し、更に、ケーブル芯材の外径よりも大きな内径を有するように前記溶接された管体を波型管体に成形し、
（ｄ）ケーブル芯材と波型管体とからなる超伝導ケーブルをケーブルドラムに巻き取るか、又は少なくとも１巻きのコイル状超伝導ケーブルとし、
（e）ケーブルドラム上にあるケーブル又は少なくとも１巻きのコイル状のケーブルとして、前記芯材の端部を波型管体の端部と機械的に連結する、
ことを特徴とする製造方法。
【請求項２】
前記管体となる金属板の成形又は溶接された金属管の波形成形において、長さＬのケーブル芯材が波型金属管内にある場合には、前記ケーブル芯材の過剰長さ（長さの差異）Δｌを、Δｌ＝（Ｒ−ｒ）π・２ａとすることを特徴とする請求項１記載の超伝導ケーブルの製造方法。
ここで、Ｒ：波型管体の内直径、ｒ：ケーブル芯材の外直径、ａ：コイルの巻き数である。
【請求項３】
前記過剰長さΔｌは、少なくとも０．２５％であることを特徴とする請求項１又は２記載の超伝導ケーブルの製造方法。
【請求項４】
前記超伝導芯材が、高温超伝導体を備えていることを特徴とする請求項１から３のいずれか１項に記載の超伝導ケーブルの製造方法。
【発明の詳細な説明】
【技術分野】
【０００１】
本発明は超伝導ケーブルの製造方法に関する。
【背景技術】
【０００２】
電気工学新聞ＥＫＺ−Ｂ，ＢＤ．２６（１９７４）、２１５頁からフレキシブルで高性能な直流用ケーブルが知られている。このケーブルは板状の超伝導材料、安定化したＮｂ３Snは、いわゆる超低温封筒で覆われている。この超伝導体は、中空であり実際の使用においてはヘリウムが通過されている。いわゆる「超低温封筒」と伝導体の中間には通路があり、液体もしくはガスのヘリウムが逆方向に流れている。
【０００３】
この超低温封筒は所定の間隔で配置された波型の金属管から構成されており、その金属管の中間には、真空といわゆる超絶縁体が存在している。上記ケーブルは連続的な作業において約２００ｍまでの長さのケーブルを製造することができる。最大の通過電流は前述の構造の各々のケーブルの２本から構成されたシステムにおいては５ＧＷの電流を流すことができる。
【０００４】
１９９９年春のＥＰＲＩジャーナルという雑誌から次のような超伝導ケーブルが知られている。このケーブルにおいては液体窒素を流す支持配管の周囲に多数の板材を巻き、第２世代の超伝導材料として成立している。この近代的な超伝導材はフレキシブルな金属板と、その金属上のイットリウム−バリウム−銅酸化物からなる組成物を当該金属板上に被覆している。
【０００５】
上記超伝導板の上には波型の金属管（ベローズ管）が備えられている。波型の金属管の外側には断熱性の多数の層が巻かれている。この断熱層は第２の波型の金属管で覆われており、熱的断熱層は更にテフロン（登録商標）の間隔保持体（スペーサ）が備えられている。上記第２の波型金属管の外側には強固な絶縁体と外側の電気シールド材が備えられている。
【０００６】
上記双方のタイプの超伝導体に共通することは、超伝導体又はそれを取り巻くケーブル素材は、使用中、液体ヘリウム又は液体窒素の温度にあるが、周囲の大気温度にある外側のケーブル素材と接近している。この接近を阻止するため、ケーブルの両端部材を設け、ケーブル素材を強固に連結し、これにより外側のケーブル素材に内部のケーブル素材が接近することを回避している。
【非特許文献１】電気工学新聞ＥＫＺ−Ｂ，ＢＤ．２６（１９７４）、２１５頁
【非特許文献２】ＥＰＲＩジャーナル、１９９９年春
【発明の開示】
【発明が解決しようとする課題】
【０００７】
このような現状に鑑み、本発明は、製造時においてもケーブル芯材が、温度低下のために周囲の大気温度にある外側ケーブル素材と接触すること回避するような超伝導ケーブルの製造方法を提供することにある。
【課題を解決するための手段】
【０００８】
この課題は、請求項１に開示された方法で解決される。
波型管体よりケーブ芯材は高い剛性を有しているので、ケーブル芯材は波型管体外側にある内壁と接触し、ケーブ芯材は最大のコイル直径を形成する。本発明においては、波型管体の内側直径はケーブ芯材よりも大きいので、波型管体内にあるケーブル芯材はそれぞれの中心軸に関して波型管体の長さよりも大きい。
【０００９】
ケーブル芯材が波型管体の両端に接続され、超伝導ケーブルがケーブルドラムに巻かれていると、ケーブル芯材は波型管体に対して過剰な長さがある。超伝導ケーブルがケーブルドラムに巻かれると、波型管体は、上記過剰長さに相当する長さだけ伸び、または、波型管体の内側へ間隔を置いて波型に伸びる。
【００１０】
超伝導ケーブルの使用時においては、即ち、液体窒素の温度においては、波型管体、またはケーブル心材の波型形状の伸びは消失する。
【発明の効果】
【００１１】
本発明により、製造時におけるケーブル芯材が、温度低下のために周囲の大気温度にある外側ケーブル素材が、使用時においては外側波型管体と接触すること回避するような超伝導ケーブルの製造方法を提供することができる。
【発明を実施するための最良の形態】
【００１２】
以下本発明を図面により詳細に説明する。図１には、本発明の超伝導ケーブルの縦断面図が示されている。ケーブルはケーブル芯材１からなり、詳細には示していないが、内側の支持管体と、上記管体上に巻かれている高温超伝導材の多数の層と、上記高温超伝導材の上に配置された絶縁材とから構成される。
【００１３】
絶縁材は、低温の耐久性があり、例えばガラス繊維、マイカ板又はポリテトラフルオルエチレンから構成される。ケーブル芯材１はいわゆる「超低温封筒」内にあり、この低温封筒は内側の波型管体（ベローズ管）２と所定の間隔で離間している外側の波型管体３とから構成されている。
【００１４】
内側の波型管の外側には箔４が巻かれており、この箔はアルミニウムの蒸着メッキを両面に施した合成樹脂の箔から構成されている。この箔４の外側には一定の間隔保持部材（スペーサ）５が巻かれており、この材料は望ましくは多数の毛髪状体を互いに絡み合った合成樹脂、ガラス繊維又はセラミック材料からなる紐状体から構成されている。
【００１５】
間隔保持材５の外側にはいわゆる超絶縁層６があり、この層は金属箔の層、または金属で被覆した合成樹脂と合成樹脂の毛髪状体からなる箔、又はガラス繊維又はセラミック材料のベースの上に設けられた毛髪体からなる箔を交互に積層した材料より構成されている。    
【００１６】
超低温封筒の構造はＥＰ−０３２６９２３Ｂ１に開示されたものである。超伝導ケーブルを実際に使用する場合には波型管２と３の中間の空間７は排気される。超伝導ケーブル１の冷却のためには液体窒素をケーブル芯材の支持ロール及び波型管２と３の中間の空間に流通させる。
【００１７】
図２には、製造装置の断面が示され、この装置により超伝導ケーブルは製造される。板材のリール１０から金属板１１は連続的に引き出され、場合によっては板材の清浄装置１２で板材を清浄にし、成形装置１３において徐々に長手方向に継目のある継目管に成形される。        
【００１８】
ケーブルの芯１４は、同様に在庫ドラム１５から連続的に引き出され継目のある管の中に押し込まれる。継目のある管の長手方向の継目は溶接ステーション１６において溶接され、溶接された管はケーブルの芯材１４と共に波型成形装置１８の引抜装置１７によって引き出される。
【００１９】
波型成形装置１８においては、長手方向に溶接された管が波型成形を受け、続いてケーブルドラム１９に巻き取られる。いわゆるダンサー２０はケーブルドラム１９の引き抜き速度を制御する。所望の超伝導ケーブルの長さが得られると、またはケーブルドラム１９は一杯になるとケーブルの芯材１４の端部は波型管２の端部にしっかりと結合される。
【００２０】
ケーブル芯材１４は波型管よりも剛直なので、ケーブル芯材１４は波型管体に片寄り、より具体的には湾曲している波型管体の外側の半径方向に接近している。波型管体の中に存在しているケーブル芯１４は波型管体に対してより大きな長さとなる。次の作業工程においては前述と同様な装置において、図１に示した各要素、すなわち金属箔４、間隔保持部材５、超絶縁材６及び最外側波型管体３の全てが再度成形される。
【００２１】
図３においてはケーブルドラム１９の断面を示し、波型金属管体（図１における内側の波型管体２）は波型管体２の内部に存在しているケーブルの芯１又は１４（図２参照）に巻き取られている。図から明らかに、曲げることが困難なケーブルの芯１は波型管体２の最も外側に片寄っており、従って波型管体２に対してより長い長さを保持している。
【００２２】
この長さの相違Δ１（過剰長さ）は次の式から計算できる。
Δｌ＝Δｒ×π×２×ａ
ここでΔｒは波型管体２の内側の半径とドラムに巻き取られている超伝導ケーブルのケーブル芯材の外側の半径であり、ａはケーブルドラムに巻き取られているコイルの数を意味する。
【００２３】
波型管体の内側の直径が６０ｍｍ、ケーブルの外側の直径が５０ｍｍ、ドラムの直径が３００ｍｍである場合において、１巻当りの過剰長さは３ｃｍである。コイルの全長は９．４ｍである。従って過剰長さは０．３％である。従って、ケーブルの芯を液体窒素の温度まで冷却することによって発生するケーブル芯の短縮は０．３％であり、過剰長さ０．３％と同等である。
【００２４】
図３にはケーブルの長手方向が示され、ケーブルドラム１９に巻き取られている。ここで明らかなようにケーブル芯１は剛直なため波型管体の外側の方向に片寄って存在している。ケーブルの芯１と波型管体２は巻き戻された状態においては両端が力強くお互いに結合され、この状態は管体端部２０及び２１に概略示されている。    
【産業上の利用可能性】
【００２５】
本発明により、製造時に際してケーブル芯材が、その使用時における温度低下のために収縮し、周囲の大気温度にある外側波型管体と接触することを回避することができる超伝導ケーブルの製造方法を提供することができる。
【図面の簡単な説明】
【００２６】
【図１】本発明の超伝導ケーブルの縦断面図の例を示す。
【図２】本発明の超伝導ケーブルの製造装置の断面を示す。
【図３】本発明の超伝導ケーブルのドラム１９の断面を示す。
【符号の説明】
【００２７】
１    超伝導ケーブルの芯材  
２    内側の波型管体（ベローズ管体）
３    外側の波型管体（ベローズ管体）
４    箔
５    間隔保持体（スペーサ）
６    超絶縁層
７    波型管体の空間
１０  リール
１１  金属板
１２  清浄装置
１３  成形装置
１４  ケーブル芯材
１５  在庫ドラム
１６  溶接ステーション
１７  ケーブル引抜装置
１８  波型成形装置
１９  ケーブルドラム
２０  ダンサー
２１  管体端部
２２  管体端部
【図１】
2004349250.tif 000003
【図２】
2004349250.tif 000004
【図３】
2004349250.tif 000005